(57)【要約】  本発明のモップは中空のポール（１）を有し、前記ポール（１）の中心は移動可能なグリップ（６）により外部から作動させられるピストン（３）を有する。これにより、前記ピストン（３）は、前記ポール（１）の下方領域内に確立される圧力チャンバ（４）の上昇を削減する。前記圧力チャンバ（４）は、より大きな直径を有する圧力シリンダ（１０）に直接的に伝達し、前記圧力シリンダ（１０）は前記ポール（１）を底部において補強する。そして、前記圧力シリンダ（１０）の中心においては圧力プランジャ（１３）が動作し、前記圧力プランジャ（１３）はモップ布（２５）のヘッド（２４）を支持する。前記圧力シリンダ（１０）はまた、一対の側方カム（１６）が圧力シリンダ（１２）に近接して外部に静止するときに、前記一対の側方カム（１６）上において前記圧力プランジャ（１３）を作動させる。しかし、前記圧力プランジャ（１３）の最初の下方向への移動段階において、前記一対の側方カム（１６）は外側に傾いて、水を保持するバケツの開口部の一部でもある絞り器開口部（１９）の周辺タブ（１８）内にロックする。これにより、絞り段階中の前記ポール（１）の反転傾向は、後方の前記周辺タブ（１８）を使用することにより、前記ポール（１）を絞り器（１９）にロックすることによって消去される。そのため、モップ布（２５）を絞るために必要とされる手動の労力は大幅に削減される。
2007533384.tif 000002
【特許請求の範囲】
【請求項１】
水バケツの開口部に付加された絞り器と、
その下方端において実際の布モップ又はゴム雑巾により強化された適切な長さを有するポールの機能的組み合わせから構成される種類のモップであって、
前記ポール（１）が中空であって、外部の移動可能なグリップ（５）により作動させられるピストン（３）を前記ポール（１）の内部に有し、
前記ピストン（３）は前記ポール（１）自体について軸方向に移動可能であり、
前記ポール（１）自体に前記ピストン（３）の下に、かなり大きい直径を有する圧力シリンダ（１１）内に確立された他の圧力チャンバ（１２）に直接的に伝達する圧力チャンバ（４）をセットし、
前記圧力シリンダ（１１）は前記ポール（１）の下方の先端を強化し、下方の前記圧力チャンバ（１２）の中心に影響を与え、単一のモップ（２５）と前記プッシュチャンバ（１２）が圧力プランジャ（１３）とチャンバ壁（１２）の間に設定される堅固な結合により制限され続けるために、より大きな直径の圧力プランジャ（１３）を有し、
前記結合の下に直径方向に対向した一対の窓（１５）が確立され、
一対のカム（１６）は前方向及び後方向に傾き、圧力シリンダ（１１）に近接して外部に静止するとき、その軌道の始点において圧力プランジャ（１３）により作動させられ、絞り器（１９）の開口部に付加された周辺タブ（１８）内にロックするために外側に傾くことを特徴とするモップ。
【請求項２】
前記ピストン（３）が圧力チャンバ（４）を最上部において制限して上昇ロッド（５）を支持し、
前記上昇ロッド（５）が自由かつ最上の先端において交差ピン（７）により補強され、
前記交差ピン（７）が後方の長手方向の溝（８）を通じてポール（１）の外側に現れて移動可能なグリップ（６）により支持され、
直径ピン（７）と前記ポール（１）の最上部先端（１０）の間に伸縮バネ（９）をも確立することを特徴とする、請求項１に記載のモップ。
【請求項３】
圧力チャンバ（４）を含む前記ピストン（３）が、機械的及び／又は電気的ポンプにより作動させられることを特徴とする、請求項１に記載のモップ。
【請求項４】
モップのヘッド（２４）が最上部に一対のピン（３３）を上向きの形態にて含み、
前記一対のピン（３３）は直径方向に対向して操作上カム（１６）に向かい、
前記ポール（１）の最初の上方向の動きに際して後方に動作し、
前記カム（１６）を絞り器開口部（１９）の周辺タブ（１８）から解放することを特徴とする、請求項１乃至３に記載のモップ。
【請求項５】
圧力チャンバ（４）内に、圧縮されたときに作動するバネ（２１）を通じて圧力プランジャ（１３）に関連した第二のピストン（２０）が選択的に存在することを特徴とする、請求項１乃至４に記載のモップ。
【請求項６】
圧力チャンバ（４）とプッシュチャンバ（１２）が空気、水又は他の液体若しくは気体により占められていることを特徴とする、請求項１乃至５に記載のモップ。
【請求項７】
モップ（２５）のヘッド（２４）が、内部又は外部溝システムを有する圧力プランジャ（１３）に取り付けられていることを特徴とする、請求項１乃至６に記載のモップ。
【請求項８】
モップ布（２５）のヘッド（２４）が、最上部の軸方向ロッド（２６）を使用して、弾性の半径方向の収縮を可能にする直径切り欠き（２７）により、底部（２３）の張り出しにより圧力プランジャ（１３）の下方の軸方向の見えない穴（２２）に結合され、
前記軸方向ロッド（２６）が見えない穴（２２）の底部において張り出しに取り付けるための周辺ショルダ（２８）を有し、
前記ヘッド（２４）が、反転されたバケツ（３１）の中心にモップ布（２５）を取り付けるための別の軸方向の下方のロッド（２９）を有し、
前記ロッド（２９）がその自由端に支持ワッシャ（３２）を圧力により結合するための周辺ショルダ（３０）を具備することを特徴とする、請求項１乃至６に記載のモップ。
【発明の詳細な説明】
【技術分野】
【０００１】
（発明の目的）
この発明は、モップに関する。前記モップは、床を洗浄するために使用されるような清掃用具を意味し、モップ布すなわち実際の清掃用具と、使用者が立ちながら作業し得るように適切な長さを有するポールの一部から構成される。前記モップは、開口部にメッシュ絞り器を有して一般に樽型である与えられたバケツにより補完される道具であり、前記モップのポールを使用して動かされ、前記バケツにおいてモップ布からの水は圧力により消去され絞り器に対して同一に回転する。
【０００２】
この発明の目的は、そのモップ布を製品の使用者による最小の努力により絞ることを可能にするモップを得ることである。
【０００３】
そのため、この発明は、清掃用具の領域内にあり、特に家庭用レベルにある。
【背景技術】
【０００４】
既に知られているように、普通にモップを使用するとき、モップを絞り器に挿入し同時に回転運動を実行するモップを絞る動作は頻繁に繰り返される。このことは、清掃を行う人に手首及び腕の両方のレベルにおいて、並びに背骨のレベルにおいて、顕著な労力をもたらす。
【０００５】
この押し及びねじり労力を軽減する試みにおいて、弾性絞り器が使用されることが知られており、これは使用者がモップを絞り器に押し入れて近くなるようにし、モップのモップ布を可能な限り絞ることを試みるものである。
【０００６】
ハンドルを有することを知られた装置も存在し、前記装置においては圧力ハンドルがモップ布を変形してモップ布を絞るが、積極的効果が存在するときにさえも、上例と同様に、モップを使用する人の労力は依然少なからぬものである。
【０００７】
レバーシステムは、使用者がレバーを作動させるために屈まなければならず、自己の自然な位置及び容易さを失うという追加の問題をも提示する。
【発明の開示】
【発明が解決しようとする課題】
【０００８】
（発明の説明）
本発明により提案されるモップは、モップ布を絞ることが最小限の労力により行われ得ることを達成して、当該分野において顕著な技術的進歩を作り出す。
【課題を解決するための手段】
【０００９】
上記目的のため、またより具体的には、前記モップは従来品であり、包含する重要な特徴は、モップがモップ布を有するポールを含むことである。前記ポールは、使用者が立ちながら作業することを可能にし、中空のポールの中心において、終端に移動グリップを有するロッドを含む事実にその特徴の焦点を絞る。前記ロッドは、ポール上において軸方向に移動させられることが可能であり、ピストンにより底部において補強される。前記ピストンは、ポールの中心に設定された圧力チャンバのための空気ロックを確立する。前記ピストンの下において、前記チャンバの底部は前記ポールの低い方の先端に伸び、モップ布のみが取り付けられるプランジャが存在する圧力シリンダを構成する。前記ピストンは、後で必要なときに取り替えられ得るように移動可能である。
【００１０】
前記圧力プランジャは、モップ布が移動するための手段として動作することに加えて、一対のカム上においても作動する。前記一対のカムは、シリンダ自体の壁に傾いて搭載され直径内に配置され、これにより前記カムは圧力シリンダに横方向に適応し、プランジャの動きの取り扱いの開始時に外側に傾き、絞り器の開口部を僅かに締め付けるタブ上において前記カム自体をロックする。前記絞り器により、ポールアセンブリは、モップ布の絞り器に対する圧力により起こる同一部材の上方向への移動の傾向中に不動のままであり、これによりユーザによって与えられる全てのエネルギーは、ポールの中心に設置された圧力チャンバと圧力シリンダの直径の間の直径の差により与えられた最小の労力により絞ること自体のために利用される。前記労力は、圧力プランジャの短いが十分な軌道のために、移動可能なグリップの長い軌道を仮定する。
【００１１】
この発明の特徴によれば、前記圧力プランジャの底部の終端に、モップ布のヘッドを受け入れ取り付けることを意図した底部の張り出しを伴う見えない軸方向の穴を有することが別に提供される。これは、二つの軸スピンドルを具備したキャップ内において行われ、一つの前記軸スピンドルは  圧力プランジャの底部の見えない軸方向の穴において相互ロックするための周辺ショルダ及び直径切り欠きにより影響を受ける。一方、底部部分は、前記キャップがそれぞれのカムの前において前記キャップの下方部分において上方向を指す一対のピンを含むという特別の特徴により、ワッシャの補助によりモップ、撚り糸又は実際のモップを形成する布を取り付けるためにその自由端において拡張部をも有する。これにより、モップの移動グリップにおける上方向への引っ張りがあるとき、又はバネの回復若しくは戻りのために上方向に移動する傾向にあるときに、絞り器の開口部の内部の周辺タブから前記カムをロック解除することにより、前記ピンは前記カム上において最初に作動する。
【発明を実施するための最良の形態】
【００１２】
（発明の好適な実施例）
後述の図を見ることによって、提案されるモップが中空のポール（１）によりどのように構成されるかが明白である。中空は柄又は取っ手（２）を有する最上端において閉じ、これらに便利に取り付けられる。前記ポール（１）の内側の空間にはピストン（３）が存在し、その下には以下に記述される圧力チャンバ（４）が存在する。そして、前記ピストン（３）はポールの最上端に向かって方向付けられるロッド（５）によって支持され、移動可能なグリップ（６）によって移動させられ得る。図２において完全に理解され得るように、前記移動可能なグリップ（６）は外側に装着され、ポール（１）上においてスライドする。前記ロッド（５）はピン（７）を備えた前記移動可能なグリップ（６）と一緒に動作し、前記ピン（７）はポール（１）自体上の溝（８）の中央において作動する。前記溝（８）の長さは、ピストン（３）に与えられる軸方向の移動の範囲を決定する。
【００１３】
前記ピン（７）は、底部端に伸縮バネ（９）を取り付ける手段としても機能し、前記ピンとポールの最上端（１０）の間には、例えば別のピンの組み合わせが配置される。
【００１４】
前記ポール（１）は、かなり幅広い直径を備えた圧力シリンダ（１１）によって底部端において補強され、チャンバ（４）より大きい直径を備えたチャンバ（１２）について、チャンバ（１２）内において圧力プランジャ（１３）が使用され、少なくとも一つの堅固な接合部（１４）によって補助され、前記接合部（１４）が全てのチャンバ（４）及び（１２）の堅固さを確実にする。
【００１５】
圧力シリンダの側壁上の前記堅固な接合部（１４）の動作領域より下に、二つの窓（１５）が存在し、前記二つの窓（１５）において、直径方向に対向した各カム（１６）が堅固に作動する。前記カム（１６）は、前記窓（１５）に挿入されるそれぞれの軸（１７）上に傾いて実装され、前記圧力プランジャ（１３）は、その軌跡の始点において前記カム（１６）上の前面の動作を有する。
【００１６】
前記カム（１６）は、前記圧力プランジャ（１３）の動きの前述した最初の段階において、絞り器（１９）の開口部に設けられた内側の周辺部（１８）において、リング又はタブの中へ相互ロックするために外側に傾く。これにより、前記圧力プランジャ（１３）の中への上昇移動の前記の開始後、カム（１６）は、ポール（１）を前記絞り器の前記周辺タブ（１８）内に完全にロックする。これは、絞る圧力が原因で上方へポールを動かす傾向を除去し、前記ポール（１）は前記絞り器（１９）に堅く接合される。
【００１７】
図３を実施する変形によれば、圧縮されたときに働くバネ（２１）を備えた圧力プランジャ（１３）の一部である第二のピストン（２０）を、圧力チャンバ（４）内に格納することは実行可能である。
【００１８】
いずれにせよ、前記圧力プランジャ（１３）は、実際のモップ又はモップ布（２５）のヘッド（２４）を受け入れ取り付けるための底部における周辺フレア（２３）と共に、見えない軸方向の穴（２２）をその下方端に含む。この意味において、各ヘッド（２４）は二つの軸ロッドを有し、一つはその自由端上の直径切り欠き（２７）を備えた最上部ロッド（２６）であり、圧力プランジャ（１３）の見えない軸方向の穴（２２）の拡張（２３）中に相互ロックするための周辺の筋（２８）を有する。
これにより、前記直径切り欠き（２７）は、前記ロッド（２６）の弾性変形、特に見えない穴（２２）のより下方のより狭い領域を交差するための径方向収縮を可能にする。より下方のロッド（２９）もまた、周辺の筋（３０）において自由端によって補強され、前記モップを取り付けるように作られる。前記モップは、ヘッドの反転されたバケツ（３１）のタイプに部分的にスナップで留められたままであり、最終的にワッシャ（３２）により保持される。
【００１９】
前記ヘッド（２４）は、頂点及び側面において一対の上昇ピン（３３）を含む。前記一対の上昇ピン（３３）は、直径方向に対向し、動作上カム（１６）の方を向く。その結果、前記ヘッド（２４）は、上方への動きを開始するときに、絞り器（１９）の周辺タブ（１８）に対して前記カム（１６）にロックを解除させるように作用する。これにより、前記モップが前記絞り器から取り除かれることが可能になる。
【００２０】
最後に、圧力チャンバ（４）が空気、水又は任意の他のタイプの気体又は液体により占められ得ることが示されるべきである。そして、移動可能なグリップ（４）は、圧力プランジャ（１３）へのモップのヘッド（２４）の取り付けと共に、機械的及び／又は電気的ポンプについて作用する押しボタンによって置き換えられ得る。これは、ピン（３３）のアセンブリがカム（１６）と向かい合っている状態である限られた状況である限りは、内部又は外部のねじ込み継手を使用しても可能である。
【図面の簡単な説明】
【００２１】
本明細書の記述を補完するため、また本発明の特徴をより良く理解することを助ける目的により、本発明の実際の実施の選考する例に従い、我々は前記記述と一体の部分として、以下を図示するが、以下を表現することに限定されない一組の図面を添付する。
【００２２】
【図１】模式的表現に従い、本発明の目的により作成されたモップの側面図を示す。
【図２】モップ布なしの図１のモップを側方立面図及び直径図により示す。
【図３】図２と類似する図を示すが、モップ布及び絞り器をも示す。
【図４】モップ布のヘッドの直径部分の詳細な図を最終的に示す。
【図１】
2007533384.tif 000003
【図２】
2007533384.tif 000004
【図３】
2007533384.tif 000005
【図４】
2007533384.tif 000006
【図５】
2007533384.tif 000007
【図６】
2007533384.tif 000008
【図７】
2007533384.tif 000009
【図８】
2007533384.tif 000010
【図９】
2007533384.tif 000011
【図１０】
2007533384.tif 000012
【図１１】
2007533384.tif 000013
【図１２】
2007533384.tif 000014
【図１３】
2007533384.tif 000015
【図１４】
2007533384.tif 000016
【図１５】
2007533384.tif 000017
【図１】
2007533384.tif 000018
【図２】
2007533384.tif 000019
【図３】
2007533384.tif 000020
【図４】
2007533384.tif 000021
【国際調査報告】
2007533384.tif 000022
2007533384.tif 000023
2007533384.tif 000024
2007533384.tif 000025
2007533384.tif 000026
2007533384.tif 000027
2007533384.tif 000028
2007533384.tif 000029
2007533384.tif 000030
2007533384.tif 000031